(57)【要約】【課題】  エレベーター内等に設置された情報表示装置１に有用な情報を表示することで、待ち時間の有効利用等を目的とするシステムで、表示内容を容易に変更可能にする。【解決手段】  設定ファイルは表示領域の分割を数値座標で指定する部分を含み、ファイル解析部２１１は、この設定ファイルを解析し、数値座標を含む内部データを構築し、主制御装置２１は、内部データに従い、情報表示装置のディスプレーを複数に分割し、動画、静止画、テキスト文字画等の異なる情報データを異なる領域に複数、同時に表示する。【選択図】        図６
2005338833.tif 000002
【特許請求の範囲】
【請求項１】
映像出力用のディスプレイと音声出力用のスピーカーからなる情報表示装置と、前記情報表示装置内に表示する情報データをファイル名で記載、指定する設定ファイルと、前記情報データを蓄積する蓄積装置と、前記設定ファイルを解析し、前記ファイル名を内部データとするファイル解析部を含むと共に、前記内部データに従い必要な情報データを当該蓄積装置から読み出し、情報表示装置で表示を行う主制御装置とを備え、不特定多数の人に情報を提供する情報表示制御装置であって、
前記設定ファイルは、表示領域の分割を数値座標で記載、指定する部分を含み、
前記ファイル解析部は、前記設定ファイルを解析し、数値座標を含む前記内部データを構築し、
前記主制御装置は、前記内部データに従い、情報表示装置のディスプレーを複数に分割し、動画、静止画、テキスト文字画等の異なる情報データを異なる領域に複数、同時に表示することを特徴とする情報表示制御装置。
【請求項２】
請求項１記載の情報表示制御装置であって、情報表示装置に同時期に表示される複数の情報データの切替えタイミングを同調させるための識別子である追従領域識別タグを記載した設定ファイルと、前記設定ファイルを解析し、情報データのファイル名と追従領域識別タグからなる内部データテーブルを構築するファイル解析部を含むと共に、内部データテーブルに従い、特定の領域の情報データの切替え、変更に追従して他の領域の情報データの切替え、変更を行う主制御装置とを備えたことを特徴とする情報表示制御装置。
【請求項３】
請求項１記載の表示制御装置であって、音声信号を含む情報データ毎に更に優先順位を付随させた設定ファイルと、前記設定ファイルを解析し、情報データのファイル名とその優先順位からなる内部データテーブルを構築するファイル解析部を含むと共に、音声信号を同時に発生させる場合、内部データに従い、優先順位の低い音声信号の音量を小さく、優先順位の高い音声信号の音量を大きく調整し、合成して出力する主制御装置とを備えたことを特徴とする情報表示制御装置。
【発明の詳細な説明】
【技術分野】
【０００１】
本発明は、エレベーターかご内やエレベーターホール、また、車両内や停留所といった不特定多数の人が一定時間を過ごすような場所で、待ち時間を有効利用するため、エレベーターや車両の運行状況、該設置場所の案内情報、天気や時刻、ニュース等の一般情報を選択し、統合して表示する情報表示制御装置に関するものである。
【背景技術】
【０００２】
エレベーターを利用する乗客に対し、エレベーターかご内、エレベーターホールにおいて、乗車時間、待ち時間を利用してエレベーターの案内、運行情報、ビルの案内や催し、天気、ニュースといった様々な映像、音響からなる情報データを提供するシステムとしては特開平７ー３０９５４５号公報に記載の技術がある。この従来技術では、乗客のストレスを軽減することを目的に、エレベーターかご内に表示装置を設置して映像情報を表示し、映像に乗客の注目を効率よく集めるため、エレベーターの運行状況に関する信号をエレベーター制御盤からイベント信号として取得し、階数等の画像を関連付けて読み出し、表示装置上に重ねあわせて表示することが記載されている。これらの情報源としては、一般情報についてはエレベーターのかご外部に設置した、複数のかごで共有する再生装置を監視室等の統括制御装置から制御して再生し、各かごの表示装置へ並列に伝送することによって行われる。又、運行情報に関しては、エレベーター制御盤から運行状況に関連する信号を、かご毎の情報表示系装置が直接受信し、各かご毎に一般情報の画像と合成し、表示領域に表示することで実現されている。
【０００３】
【特許文献１】特開平７ー３０９５４５号公報
【発明の開示】
【発明が解決しようとする課題】
【０００４】
上記従来技術では、エレベーターの運行に関連した表示情報の切り替えは、エレベーター制御盤から各かごが直接受信するイベント信号により制御系を駆動させ、関連付けられた階数等の画像を呼び出すため、人為的操作を伴うことなく、エレベーターの運行状況に沿った階数表示等の情報表示を行っている。しかし、エレベーター情報以外の一般情報に関しては、信号源がアナログ、デジタルに関わらず、その選択、切り替えについて、監視室の統括制御装置等でのキーボードやモニタ装置での人為的操作を必要としていた。
【０００５】
また、従来技術においては、エレベーターかご内等に取り付けられる表示装置について、その画面内での、各画像の配置等の画面構成を表示情報の組み合わせ毎に変更することについては全く考慮されていなかった。そのため、表示情報の組み合わせ毎に画面構成を様々に変化させて出力することが不可能であった。
【０００６】
本発明は以上のような問題点を解決するためになされたものである。情報提供者は予め表示情報に関する予定表を制御装置に与えることで、システム起動後は何ら人為的操作を必要とせず、予定表を解析し、記載内容を理解することデータベースを構築し、データベースに従い、画面の分割方式を変更し、各領域に表示する情報を切り替える情報表示制御装置を提供する。又、本発明の他の目的は、複数のかごの表示装置を統括制御する装置を設けず、乗りかご毎の表示装置に表示制御装置を個別に設定することで、乗りかご毎に全く違った情報を提供することが可能となる点で、更に、複数のかごで連携した情報や、単一かご内で同時期に表示される情報相互の連携をとるなど、様々な制御手段が実現可能な情報表示制御装置を提供することである。
【課題を解決するための手段】
【０００７】
発明に係る情報表示制御装置においては、映像出力用のディスプレイと音声出力用のスピーカーからなる情報表示装置と、前記情報表示装置内に表示する情報データをファイル名で記載、指定する設定ファイルと、前記情報データを蓄積する蓄積装置と、前記設定ファイルを解析し、前記ファイル名を内部データとするファイル解析部を含むと共に、前記内部データに従い必要な情報データを当該蓄積装置から読み出し、情報表示装置で表示を行う主制御装置とを備え、不特定多数の人に情報を提供する情報表示制御装置であって、前記設定ファイルは、表示領域の分割を数値座標で記載、指定する部分を含み、前記ファイル解析部は、前記設定ファイルを解析し、数値座標を含む前記内部データを構築し、前記主制御装置は、前記内部データに従い、情報表示装置のディスプレーを複数に分割し、動画、静止画、テキスト文字画等の異なる情報データを異なる領域に複数、同時に表示するものである。
【発明の効果】
【０００８】
この発明は、以上説明したように構成されているので、エレベーター乗りかご内やエレベーターホール、また、車両内や停留所といった場所で、不特定多数の人に設置機器の運行状況や、設置店舗、関連施設に関する催しやお知らせ、天気、時刻、ニュース等の一般情報を提供する場面において、以下に示すような効果を奏する。。
【０００９】
テキスト形式の設定ファイル内の情報データのファイル名を変更することにより、情報表示装置の表示内容を容易に変更可能である。さらに、テキスト形式の設定ファイル内の情報表示装置の領域の分割を指定した数値座標を変更することで、表示装置の領域分割を容易に変更可能である。
【発明を実施するための最良の形態】
【００１０】
実施の形態１．
以下、本発明をエレベーター乗りかご内に設置した例に従い説明する。図１は本発明の実施の形態１である情報表示制御装置のシステム構成を示すブロック図であり、図において、１は情報表示装置、２は情報表示装置１の表示内容を制御する情報表示制御装置である。
【００１１】
情報表示装置１は、カラー液晶ディスプレー、スピーカー等で構成され、画像、音声信号を表示、出力する。情報表示制御装置２は、主制御装置２１、蓄積装置２２、メモリ２３、情報再生部２４から構成され、情報表示装置１の表示に関する制御を行う。
【００１２】
主制御装置２１はその内部にファイル解析部２１１を含むと共に、情報表示制御装置２内の、蓄積装置２２、メモリ２３、情報再生部２４の動作を制御する。蓄積装置２２は、ハードディスクであり、情報表示装置１で表示する情報データを蓄積している。尚、蓄積装置２２は光磁気ディスクや、ＲＡＭ、フラッシュＲＯＭを用いた固体メモリであってもよい。情報再生部２４は、主制御装置２１の再生命令に従い、ＭＰＥＧ圧縮された動画像の伸長や動画像再生、静止画の表示を情報表示装置１で行うと共に、これら動画像と静止画の合成を行う。
【００１３】
図２はエレベーターかご６内に図１のシステムを設置した図である。乗りかご６内には、情報表示装置１が操作パネル上部に設置されている。また情報表示装置１を制御する情報表示制御装置２をかご６内もしくはエレベーター機械室に設置し、情報表示装置１の表示動作を管理する。
【００１４】
図３は情報表示装置１に表示する情報データをファイル名で記載した設定ファイルの一例を示す図である。主制御装置２１は、その内部のファイル解析部２１１において前記設定ファイルを読み込み、有効設定範囲を判別し、有効設定範囲からファイル名を読み取り、ファイル名からなる内部データを構築する。有効設定範囲とは、図３で示した＜ＰＣＭＬ＞、＜／ＰＣＭＬ＞で囲まれた範囲内の、更に＜、＞で囲まれた範囲を指している。この有効範囲において、＜、＞内の先頭３文字にはＭＯＶ、ＩＭＧいずれかの記述があり、ＭＯＶの場合は動画に関する設定内容が、ＩＭＧの場合には静止画に関する設定内容が以降に記述されていることを表わしている。又、＜、＞内のＳＲＣの記述は以降の“  ”内に蓄積装置２２内に蓄積される情報データのファイル名がパスを含み、記載されていることを表わしている。
【００１５】
ファイル解析部２１１は、前記有効設定範囲内で記載されたテキストを有効設定として読み取る。＜、＞の先頭部にＭＯＶの記述がある場合は以降を動画に関する設定として、ＩＭＧの記述がある場合は以降を静止画に関する設定として内部データをメモリ２３内に構築する。
【００１６】
主制御装置２１は内部データに従い、動画の場合は動画としての処理を、静止画の場合は静止画としての処理を準備し、ファイル名に一致する情報データを蓄積装置２２から読み出し、情報表示装置１で表示を行う。
【００１７】
実施の形態２．
図４は本発明の実施の形態２である制御情報受信ボードを備えた情報表示制御装置のシステム構成を示すブロック図であり、いわば、情報表示制御装置２内に制御情報受信ボード２５を取り付け、エレベーター制御盤からエレベーターの運行に関する制御情報を受信するようにした実施の形態を示すものである。制御情報とは、エレベーター乗りかご６の上昇、下降、ドア５の開閉等を制御するための信号である。
【００１８】
図５はイベント信号の受信時に表示データの切り替えを指示した設定ファイルの一例を示す図である。ファイル解析部２１１は前記設定ファイルから、実施の形態１と同様にファイル名を読み取ると共に、＜ＥＣＭＬ＞、＜／ＥＣＭＬ＞で囲まれた範囲内の、更に＜、＞で囲まれた範囲をも有効設定範囲として、イベント信号識別タグ、ファイル名を読み取り、内部データテーブルを構築する。イベント信号識別タグとは、ＥＯＰ、ＥＣＬ、Ｅ３Ｆ等を指しており、夫々ドア６の開口時、閉口時、エレベーター乗りかご６の３階到着時に行う制御の指定を表わしている。
【００１９】
主制御装置２１は前記、構築済みの内部データに従い、ファイル名に一致する情報データを蓄積装置２２から読み出し、情報表示装置１で表示を行うが、エレベーター制御盤７からエレベーターの運行に関する制御情報を受信した場合、内部データテーブルを参照し、受信した制御情報に対応付けられたファイル名に一致する情報データを蓄積装置２２から読み出し、情報表示装置１での表示を切り替えて表示する。
【００２０】
実施の形態３．
図６は情報表示装置１のディスプレー１１を領域分割して複数の情報データを同時に表示した一例を示す図である。情報表示装置１はディスプレー１とスピーカー１２より構成されており、ディスプレー１１は領域Ａ１、Ａ２、Ａ３、Ａ４、Ａ５に分割され、夫々に情報データを表示している。
【００２１】
図７は図６の表示を指示するために、領域位置、サイズとファイル名を指定した設定ファイルの一例を示す図である。ファイル解析部２１１は前記設定ファイルから、実施の形態１と同様にファイル名を読み取ると共に、＜ＭＰＡＮＥＬ＞、＜／ＭＰＡＮＥＬ＞で囲まれた範囲内の、更に＜、＞で囲まれた範囲をも有効設定範囲として、座標タグと数値座標よりなる座標データ及び各領域の領域識別タグを読み取る。座標タグとは、Ｔｏｐ、Ｌｅｆｔ、Ｗｉｄｔｈ、Ｈｅｉｇｈｔを指しており、Ｔｏｐ、Ｌｅｆｔで領域の左上端の座標を、Ｗｉｄｔｈ、Ｈｅｉｇｈｔで夫々横幅、高さを示している。又、領域識別タグは各領域を識別するために使用される。
【００２２】
ファイル解析部２１１は以上のファイル解析結果から、座標タグと数値座標及び領域識別タグからなる内部データテーブルと、ファイル名と領域識別タグからなる内部データテーブルの２種類のテーブルを構築する。
【００２３】
主制御装置２１は前記、構築済みの内部データテーブルに従い、ディスプレー１１を分割管理し、夫々の領域毎に、ファイル名に一致する情報データを蓄積装置２２から読み出し、表示を行う。
【００２４】
実施の形態４．
図８は表示時間で情報データを切り替えるよう指示した設定ファイルの一例を示す図である。ファイル解析部２１１は前記設定ファイルから、実施の形態１と同様にファイル名を読み取ると共に、各ファイル名の後部に記載されている時間の情報と、各ファイルタグに付加された順序番号を読み取り、ファイル名と表示する時間、順序番号からなる内部データテーブルを構築する。
【００２５】
主制御装置２１はこの内部データテーブルの順序番号に従い、内部時計により表示時間を監視ししつつ、順にファイル名に一致する情報データを蓄積装置２２から読み出し、情報表示装置１で表示を行う。
【００２６】
実施の形態５．
図９は表示開始時刻と表示終了時刻、及びファイル名を指示した設定ファイルの一例を示す図であり、いわば、実施の形態４と同様に時刻の経過に従って、情報表示装置１に表示する情報データの切り替え制御を指示する設定ファイルの一例を示している。但し、表示時間の指定を時刻により記載するため順序番号は不要となり、主制御装置２１の内部時計により時刻を監視し、開始指定時刻にファイル名に一致する情報データを蓄積装置２２から読み出し、情報表示装置１で表示を行い、終了指定時刻に表示の切り替え、又は終了を行う。
【００２７】
実施の形態６．
図１０は日付を指定し、表示日時によって表示する情報データを変更するよう指示した設定ファイルの一例を示す図であり、いわば、情報表示を行う日付に従って、情報表示装置１に表示する情報データの切り替え制御を指示する設定ファイルの一例である。ファイル解析部２１１は前記設定ファイルから、実施の形態１と同様にファイル名を読み取ると共に、各ファイル名の後部に記載されている日付の情報を読み取り、ファイル名と日付からなる内部データテーブルを構築する。
【００２８】
主制御装置２１はこの内部データテーブルの日付情報と、内部暦に従い、指定されたファイル名に一致する情報データを蓄積装置２２から読み出し、情報表示装置１で表示を行う。
【００２９】
実施の形態７．
図１１は日付を指定し、表示日時によって読み込む設定ファイルを変更するよう指示した設定ファイルの一例を示す図であり、実施の形態６で用いた図１０の設定ファイル内部のファイル名指定部分に、設定ファイル名を記載したものである。設定ファイル名を記載した図１１のファイルを主設定ファイルとすると、ファイル解析部２１１は前記主設定ファイルから、実施の形態１と同様にファイル名を読み取ると共に、各ファイル名の後部に記載されている日付の情報を読み取り、ファイル名と日付からなる内部データテーブルを構築する。但し、前記ファイル名とは設定ファイル名を指している。
【００３０】
主制御装置２１はこの内部データテーブルの日付情報と、内部暦に従い、指定されたファイル名に一致する設定ファイルを蓄積装置２２から読み出し、再度ファイル解析部２１１で解析し内部データを構築した後、この内部データに従い情報表示装置１の表示制御を行う。
【００３１】
実施の形態８．
実施の形態７と実施の形態４、又は実施の形態７と実施の形態５を組み合わせ、主設定ファイルに記載されて２度目の解析で読み込まれる設定ファイルに、時刻による切り替え指定をおこなうことにより、日付毎に表示内容を変更し、更に夫々の日付の時刻によっても表示内容を切り替えることができるため、表示内容を構造的に管理、監視することが可能である。
【００３２】
実施の形態９．
情報表示装置１のディスプレー１１を複数領域に分割し、複数の情報データを同時に表示する実施の形態３と、実施の形態４、実施の形態５、実施の形態６のいづれかを組み合わせた実施形態において、更に、同時に表示されている複数の情報データを関連づけて、同時に切り替えることを可能とする設定ファイルを図１２に示す。
【００３３】
ファイル解析部２１１は図１２の設定ファイルから、実施の形態３と同様に領域データと領域識別タグ、ファイル名を読み取るが、更にファイル名後部に記載された追従領域識別タグを読み取り、内部データテーブルを構築する。
【００３４】
主制御装置２１はこの内部データテーブルに従い、各領域毎に情報データを表示するが、追従領域識別タグの付加された情報データは、追従先の領域に表示される情報データが時間又は日付で切り替わるのに同期して、切り替えを行うように制御する。
【００３５】
実施の形態１０．
情報表示装置１のディスプレー11を複数領域に分割し、複数の情報データを同時に表示する実施の形態３において、同時に表示信号が音声信号を各々含んでいる場合に音声信号を調整して出力するため、設定ファイルにおいて情報データに優先順位を指定し、音声信号に順序付けを行うものとする。
【００３６】
ファイル解析部２１１は前記設定ファイルから、実施の形態３と同様に領域データと領域識別タグ、ファイル名を読み取り、更にファイル名後部に記載された優先順位を読み取り、内部データテーブルを構築する。
【００３７】
主制御装置２１はこの内部データテーブルに従い、各領域毎に情報データを表示するが、音声信号を複数、同時に出力する必要が生じた場合、重複した音声信号の優先順位を参照し、優先順位の高い音声信号の音量を上げ、優先順位の低い音声信号の音量を下げて、合成した音声信号をスピーカー１２より出力する。
【００３８】
音声合成の一例として、優先順位の低い音声信号を出力せず、優先順位の最も高い音声信号のみを出力することも、言うまでもなく可能である。
【００３９】
実施の形態１１．
時刻によって表示する情報データを切り替える実施の形態５において、更に設定ファイルにおいて情報データ毎に優先順位を指定し、情報データに順序付けを行うものとする。
【００４０】
ファイル解析部２１１は前記設定ファイルから、実施の形態５と同様にファイル名と開始、終了時刻を読み取り、更にファイル名後部に記載された優先順位を読み取り、内部データテーブルを構築する。
【００４１】
主制御装置２１はこの内部データテーブルに従い、各時刻に情報データの表示を開始するが、表示中の情報データの終了前に、異なる情報データの開始時刻が設定されている等、同一領域に同時期に異なる情報データの表示が要求された場合、内部データテーブルを参照し、情報データの優先順位を比較し、優先順位の高い情報データの表示を優先的に行い、優先順位の低い情報データの表示を中止するよう制御を行う。
【００４２】
実施の形態１２．
エレベーター制御盤７からのイベント信号により情報データの切り替えを行う実施の形態２において、更に設定ファイルによってイベント信号毎に優先順位を指定し、イベント信号に順序付けを行うものとする。
【００４３】
ファイル解析部２１１は前記設定ファイルから、実施の形態２と同様にイベント信号識別タグ、ファイル名を読み取り、更にファイル名後部に記載された優先順位を読み取り、内部データテーブルをメモリ２３に構築する。
【００４４】
主制御装置２１はこの内部データテーブルに従い情報データの表示を行うが、指定されたイベント信号が重複して発生した場合、若しくは情報データの切り替え途中に他のイベント信号を受信した場合に、内部データテーブルを参照し、重複したイベント信号の優先順位を比較し、優先順位の高いイベントに関連した制御を優先的に行う。
【００４５】
実施の形態１３．
図１３は実施の形態２と実施の形態３と実施の形態８を組み合わせた実施の形態において、ファイル解析部２１１を含む主制御装置２１が情報表示制御装置１内で行う制御手順を示したフローチャートである。まず、主制御装置２１は、ステップＳ１において、主設定ファイルを蓄積装置２２より読み出す。主設定ファイルには日付毎に読み込む設定ファイル名が記載されている。さらに主制御装置２１はステップＳ２において、読み出した前記主設定ファイルの有効設定範囲を判別し、有効設定範囲からファイル及び日付を読み取り、メモリ２３内に第一の内部データテーブルを構築する。次に、主制御装置２１はステップＳ３において、構築済みの第一内部データテーブルと内部暦から、当該日時で読み込むべき設定ファイルを選択し、蓄積装置２２より読み出す。前記設定ファイルには、情報データファイル名、イベント信号識別タグ、領域データ、領域識別タグ、情報データの開始、終了時刻等が記載されており、ステップＳ４において前記データ群よりなる第二の内部データテーブルを構築する。さらに主制御装置２１はステップＳ５において、当該時刻と構築済みの第二内部データテーブルから、表示に必要な情報データファイルを選択し、蓄積装置２２より読み出し、ステップＳ６において当該時刻が設定時間内であることを確認し、ステップＳ７において情報データを指定の領域で出力する。但し、ステップＳ６において当該時刻が設定時間外である場合、再び適切な情報データファイルを選択し直し、蓄積装置２２より読み出す。また主制御装置２１は情報データの表示中に発生するイベント信号の監視をステップＳ８において行っている。イベント信号による割り込みが発生した場合、その処理をステップＳ９で行い、その処理の終了後、定常の情報データ表示処理に復帰する。さらに主制御装置２１はステップＳ１０において、内部暦と第一内部データテーブルを比較し、設定ファイルが有効なファイルかを判断し、有効でない場合、再度有効な設定ファイルを選択し直し、蓄積装置２２より読み出す。
【００４６】
以上、この発明を図示した実施の形態に基づいて詳述したが、当業者にはこの発明の精神を逸脱しない範囲で種々の変形が可能であることは言うまでもない。例えば、設定ファイルで様々な指定を識別するためのタグ等は記載した文字に何らとらわれるものではなく、システム設計時に、他の指定と区別できるように自由に決定が可能である。
【図面の簡単な説明】
【００４７】
【図１】この発明に関する情報表示制御装置のシステム構成を示すブロック図である。
【図２】エレベーター乗りかご内に情報表示装置を設置した図である。
【図３】情報表示装置に表示する情報データをファイル名で記載した設定ファイルの一例を示す図である。
【図４】制御情報受信ボードを備えた、本発明に関する情報表示制御装置のシステム構成を示すブロック図である。
【図５】イベント信号の受信時に表示データの切り替えを指示した設定ファイルの一例を示す図である。
【図６】情報表示装置のディスプレーを領域分割して複数の情報データを同時に表示した一例を示す図である。
【図７】図６の表示を指示するために、領域位置、サイズとファイル名を指示した設定ファイルの一例を示す図である。
【図８】表示時間で情報データを切り替えるよう指示した設定ファイルの一例を示す図である。
【図９】表示開始時刻と表示終了時刻、及びファイル名を指示した設定ファイルの一例を示す図である。
【図１０】日付を指定し、表示日時によって表示する情報データを変更するよう指示した設定ファイルの一例を示す図である。
【図１１】日付を指定し、表示日時によって読み込む設定ファイルを変更するよう指示した設定ファイルの一例を示す図である。
【図１２】情報表示装置の領域分割と表示する情報データと各表示時刻に加え、追従領域を指定して、他の領域に同期させて情報データを切り替えるよう指示した設定ファイルの一例を示す図である。
【図１３】実施の形態２と実施の形態３と実施の形態８を組み合わせた実施の形態において、ファイル解析部を含む主制御装置が情報表示制御装置内で行う制御手順を示したフローチャートである。
【符号の説明】
【００４８】
１  情報表示装置、２  情報表示制御装置、３  操作パネル、４  階数インジケータ、５  ドア、６  エレベーター乗りかご、７  エレベーター制御盤。
【図１】
2005338833.tif 000003
【図２】
2005338833.tif 000004
【図３】
2005338833.tif 000005
【図４】
2005338833.tif 000006
【図５】
2005338833.tif 000007
【図６】
2005338833.tif 000008
【図７】
2005338833.tif 000009
【図８】
2005338833.tif 000010
【図９】
2005338833.tif 000011
【図１０】
2005338833.tif 000012
【図１１】
2005338833.tif 000013
【図１２】
2005338833.tif 000014
【図１３】
2005338833.tif 000015